【手続補正書】
【提出日】令和1年9月11日(2019.9.11)
【手続補正１】
【補正対象書類名】明細書
【補正対象項目名】発明の名称
【補正方法】変更
【補正の内容】
【発明の名称】除埃器
【手続補正２】
【補正対象書類名】明細書
【補正対象項目名】００１２
【補正方法】変更
【補正の内容】
【００１２】
上記課題を解決するため、本発明に係る除埃器は次の手段をとる。
まず、本発明の第１の発明は、
埃を吸着させる払拭部と保持用の把持部とを備えた掃除道具に吸着した埃を除去する除埃器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記吸引用部材の操作により、前記吸引用部材の吸引用通風路が前記筐体の内部に開口する構成と、該吸引用部材の吸引用通風路が前記除埃用通風路の内部開口部から該除埃用通風路を経て該除埃用通風路の吸引口に連通する構成を切り換えることができる除埃器である。
【手続補正３】
【補正対象書類名】明細書
【補正対象項目名】００２０
【補正方法】変更
【補正の内容】
【００２０】
次に、本発明の第５の発明は、
埃を吸着させる払拭部と保持用の把持部とを備えた掃除道具に吸着した埃を除去する除埃器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記除埃用通風路の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器である。
【手続補正４】
【補正対象書類名】明細書
【補正対象項目名】００２４
【補正方法】変更
【補正の内容】
【００２４】
次に、本発明の第７の発明は、
埃を吸着させる払拭部と保持用の把持部とを備えた掃除道具に吸着した埃を除去する除埃器であって、
前記掃除道具の払拭部を収容することのできる筐体と、該筐体の内部に設置される除埃用通風路と、掃除機に接続できる吸引用通風路を備えた吸引用部材と、通風路切換器とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記通風路切換器の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器である。
【手続補正５】
【補正対象書類名】特許請求の範囲
【補正対象項目名】請求項１
【補正方法】変更
【補正の内容】
【請求項１】
埃を吸着させる払拭部と保持用の把持部とを備えた掃除道具に吸着した埃を除去する除埃器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記吸引用部材の操作により、前記吸引用部材の吸引用通風路が前記筐体の内部に開口する構成と、該吸引用部材の吸引用通風路が前記除埃用通風路の内部開口部から該除埃用通風路を経て該除埃用通風路の吸引口に連通する構成を切り換えることができる除埃器。
【手続補正６】
【補正対象書類名】特許請求の範囲
【補正対象項目名】請求項５
【補正方法】変更
【補正の内容】
【請求項５】
埃を吸着させる払拭部と保持用の把持部とを備えた掃除道具に吸着した埃を除去する除埃器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記除埃用通風路の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器。
【手続補正７】
【補正対象書類名】特許請求の範囲
【補正対象項目名】請求項７
【補正方法】変更
【補正の内容】
【請求項７】
埃を吸着させる払拭部と保持用の把持部とを備えた掃除道具に吸着した埃を除去する除埃器であって、
前記掃除道具の払拭部を収容することのできる筐体と、該筐体の内部に設置される除埃用通風路と、掃除機に接続できる吸引用通風路を備えた吸引用部材と、通風路切換器とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記通風路切換器の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器。